(57)【要約】  燃焼室（２）と排出口（８）とを備えている少なくとも１個のシリンダ（３）と、クランクシャフト（６）を備えているクランクハウジング（７）と、を有する２ストローク内燃エンジン（１）が提案され、ハウジングは、少なくとも１個の掃気ポート（９、１０）を介して燃焼室（２）と流路として接続されており、内燃エンジン（１）は、クランクハウジング（７）から燃焼室（２）への掃気ポートに対して概ね反対に燃料を掃気ポート（９、１０）に噴射するように構成されており、内燃エンジン（１）は、２個の噴射器（１３、１４）を備えている少なくとも１個のシリンダ（３）を有し、燃料は、第１のエンジン負荷でただ１個の噴射器（１３、１４）によって、第２のエンジン負荷で２個の噴射器（１３、１４）によって導入可能である。【選択図】図１
2020506329.tif 000002
【特許請求の範囲】
【請求項１】
２ストローク内燃エンジン（１）であって、
燃焼室（２）と排出口（８）とを備えている少なくとも１個のシリンダ（３）と、クランクシャフト（６）を備えているクランクハウジング（７）と、を有し、前記ハウジング（７）は少なくとも１個の掃気ポート（９、１０）を介して前記燃焼室（２）と流路として接続されており、前記内燃エンジン（１）は、前記クランクハウジング（７）から前記燃焼室（２）内へのオーバーフロー方向に対して概ね反対に燃料を前記掃気ポート（９、１０）に噴射するように形成されており、
前記内燃エンジン（１）が、２個の前記噴射器（１３、１４）を備えている少なくとも１個のシリンダ（３）を有し、第１のエンジン負荷でただ１個の前記噴射器（１３、１４）によって、第２のエンジン負荷で２個の前記噴射器（１３、１４）によって燃料が導入可能であることを特徴とする、
２ストローク内燃エンジン（１）。
【請求項２】
前記内燃エンジン（１）が、２個の前記噴射器（１３、１４）によって交互に燃料が噴射されるように形成されていることを特徴とする、請求項1に記載の２ストローク内燃エンジン（１）。
【請求項３】
前記内燃エンジン（１）が、前記クランクシャフト（６）の全回転の一部分に対応するクランクシャフト角度内で燃料を噴射するように形成されており、一部分は、好ましくはクランクシャフト角度の約５度からクランクシャフト角度の約３５０度で、好ましくはクランクシャフト角度の約１０度からクランクシャフト角度の約３３０度で、好ましくはクランクシャフト角度の約１２度からクランクシャフト角度の約３０５度であることを特徴とする、請求項１または２に記載の２ストローク内燃エンジン（１）。
【請求項４】
前記内燃エンジン（１）が、前記内燃エンジン（１）の最大負荷の約７パーセントから約４０パーセントの前記内燃エンジン（１）のエンジン負荷の領域で、ただ１個の前記噴射器（１３、１４）によって燃料を噴射するように形成されていることを特徴とする、請求項１から３のいずれか１項に記載の２ストローク内燃エンジン（１）。
【請求項５】
前記内燃エンジン（１）が、前記クランクシャフト（６）の全回転に対応するクランクシャフト角度の一部分で燃料を噴射するように形成されており、前記一部分は前記内燃エンジン（１）の回転速度が増加すると増加することを特徴とする、請求項１から４のいずれか１項に記載の２ストローク内燃エンジン（１）。
【請求項６】
前記内燃エンジン（１）が、制御装置（３３）に機能的に結合しており、前記制御装置（３３）は、前記内燃エンジン（１）の負荷要求を設定するように形成されており、燃料の噴射は、設定された負荷要求に依存して、１個の前記噴射器（１３、１４）または２個の前記噴射器（１３、１４）によって行われることを特徴とする、請求項１から５のいずれか１項に記載の２ストローク内燃エンジン（１）。
【請求項７】
負荷要求の設定が、前記内燃エンジン（１）の上流にあらかじめ収容されているスロットル機関（１７）の開口の決定によって行われることを特徴とする、請求項６に記載の２ストローク内燃エンジン（１）。
【請求項８】
前記内燃エンジン（１）は、設定されている負荷要求及び／または前記内燃エンジン（１）の回転速度に依存して、１個の前記噴射器（１３、１４）または２個の前記噴射器（１３、１４）の燃料の噴射の開始及び／または１個の前記噴射器（１３、１４）または２個の前記噴射器（１３、１４）の開口作動の期間を変更するように形成されていることを特徴とする、請求項６または７に記載の２ストローク内燃エンジン（１）。
【請求項９】
前記シリンダ（３）が第１（９）及び第２（１０）の掃気ポートを備えており、前記第２の掃気ポート（１０）は、前記排出口（８）に対して、前記第１の掃気ポート（９）よりもさらに間隔をあけて配置されおり、前記噴射器（１３、１４）は燃料を前記第２の掃気ポート（１０）に噴射するように配置されていることを特徴とする、請求項１から８のいずれか１項に記載の２ストローク内燃エンジン（１）。
【請求項１０】
前記内燃エンジン（１）が、前記シリンダ（３）の長手方向中心平面によって形成されているシリンダ垂直軸線（２３）を有しており、前記噴射器（１３、１４）の各々は、前記噴射器（１３、１４）の長手方向中心平面によって形成されている噴射器垂直軸線（２５）を有しており、前記噴射器（１３、１４）は、前記シリンダ垂直軸線（２３）と前記噴射器垂直軸線（２５）との間の角度を約０度から約３５度、好ましくは約１４度として、傾斜して配置されていることを特徴とする、請求項１から９のいずれか１項に記載の２ストローク内燃エンジン（１）。
【請求項１１】
前記内燃エンジン（１）が、前記シリンダ垂直軸線（２３）を含む長手方向中心平面（２６）を有し、前記噴射器（１３、１４）は、前記長手方向中心平面（２６）と前記噴射器垂直軸線（２５）との間の角度を約８度から約３３度として傾斜して配置されていることを特徴とする、請求項１０に記載の２ストローク内燃エンジン（１）。
【請求項１２】
前記掃気ポート（１０）内へ前記噴射器（１３、１４）によって噴射される燃料の、前記掃気ポート（１０）の前記壁（２２）上への付加が広範囲に回避されるように、前記噴射器（１３、１４）がそれぞれの前記掃気ポート（１０）に対して配置されていることを特徴とする、請求項１から１１のいずれか１項に記載の２ストローク内燃エンジン（１）。
【請求項１３】
前記噴射器（１３、１４）が、少なくとも１個の円錐状の燃料ジェット（２１）を生成し、前記噴射器（１３、１４）が、前記掃気ポート（１０）の前記壁（２２）上への前記燃料ジェット（２１）の壁付着を回避するように前記掃気ポート（１０）に対して揃えられていることを特徴とする、請求項１から１２のいずれか１項に記載の２ストローク内燃エンジン（１）。
【請求項１４】
２ストローク内燃エンジン（１）を動作させる方法であって、前記内燃エンジン（１）が燃焼室（２）と排出口（８）とを備えている少なくとも１個のシリンダ（３）と、クランクシャフト（６）を備えているクランクハウジング（７）と、を有し、前記ハウジング（７）は少なくとも１個の掃気ポート（９、１０）を介して前記燃焼室（２）と流路として接続されており、燃料が前記クランクハウジング（７）から前記燃焼室（２）内へのオーバーフロー方向に対して概ね反対に前記掃気ポート（９、１０）に噴射され、
燃料が、第１のエンジン負荷でただ１個の噴射器（１３、１４）によって、第２のエンジン負荷で２個の前記噴射器（１３、１４）によって噴射されることを特徴とする、
方法。
【請求項１５】
乗用サドル（３０）と、前輪（２８）と、後輪（２９）と、を有し、
請求項１から１３のいずれか１項に記載の２ストローク内燃エンジン（１）によって特徴付けられる、
モータサイクル（２７）。
【発明の詳細な説明】
【技術分野】
【０００１】
本発明は、２ストローク内燃エンジンであって、燃焼室と排出口とを備えている少なくとも１個のシリンダと、クランクシャフトを備えているクランクハウジングと、を有し、クランクハウジングは、少なくとも１個の掃気ポートを介して燃焼室と流路として接続されており、請求項１の前提部によれば、内燃エンジンは、クランクハウジングから燃焼室内へのオーバーフロー方向に対して概ね反対に燃料を掃気ポートに噴射するように構成されている２ストローク内燃エンジンに関する。
【背景技術】
【０００２】
２ストローク内燃エンジンは、長い間知られており、２ストローク内燃エンジンつまり２ストロークエンジンが、多くの分野で４ストロークエンジンに置き換えられてきたとしても、掃気損失の結果として発生する排気気体内へのＨＣ排出を回避するための対応する開発の対象でもある。その高出力密度のため、２ストローク内燃エンジンは、技術的観点から、そして、実際に、特に、低質量で高パワーの発生に依存している分野、つまり、たとえば、モータサイクルの駆動源の分野、特に、ここでは単に一例として言及するが、オフロードモータサイクルの分野において依然として非常に興味深い。
【０００３】
２ストローク内燃エンジンは、特許文献１から知られており、燃料をエンジンのシリンダに供給する２個の噴射器を有しており、そのうち第１の噴射器は、燃料を燃料室内に直接噴射することが可能で、他の噴射器は、燃料を掃気ポート内に、つまりエンジンのクランクハウジングから掃気ポートを通した燃焼室への燃料の流れの方向に噴射することができる。言い換えると、これは、燃料が流れの方向に掃気ポート内に噴射されることを意味している。
【０００４】
２ストローク内燃エンジンが、特許文献２から知られており、燃料及び潤滑油の混合物が噴射要素を介して噴射され、それによって少なくとも２個の噴射ジェットが形成され、そのうち、第１の噴射ジェットは、クランクハウジングから燃焼空間の方向への流れの方向で掃気ポート内に向けられ、第２の噴射ジェットはクランク室の方向に向けられている。
【０００５】
２ストロークエンジンが、特許文献３から知られており、燃料が噴射器を介して掃気ポート内に、実際に吸気窓の下方の領域、または吸気窓かオーバーフロー窓の高さまで噴射される。
【０００６】
２ストローク内燃エンジンが、特許文献４から知られており、燃料が２個の噴射ノズルによってピストンベース上に噴射され、高回転数の場合には、掃気ポート内に噴射される。
【０００７】
２ストローク内燃エンジンが、特許文献５から知られており、燃料がクランクハウジングから燃焼室内への流れの方向とは反対に掃気ポート内に噴射される。
【０００８】
２ストロークエンジンを有する乗り物が、特許文献６から知られており、燃料を第１の噴射器を介してクランクハウジング内に、第２の噴射器を介して掃気ポートに、実際には上向きの角度、つまり、クランクハウジングから燃焼空間への流れの方向とは反対ではなく、内燃エンジンのクランクハウジングから燃焼室内への流れの方向で見て上向きの角度で導入することができる。
【０００９】
２ストロークエンジンが、特許文献７から知られており、燃料が、アイドリング時にはクランクハウジング内に、また、所定の制御時間には掃気ポート内に、実際には掃気ポートの燃焼室に向いている端部に、つまりオーバーフロー方向を横切って噴射される。
【００１０】
２ストローク内燃エンジンが、特許文献８から知られており、シリンダあたり２個の噴射器を使用して機能し、燃料が掃気ポート内に、実際には掃気ポートからシリンダまでの吸気窓の領域に、実際には掃気ポートからシリンダへ流れる気流内に噴射される。
【００１１】
最後に、２ストローク燃焼エンジンが、特許文献９から知られており、燃料が掃気ポート内に、実際には、クランクハウジングから燃焼室内へのオーバーフロー方向とは概ね反対に噴射され、シリンダのクランクハウジングの外側で混合気が形成されることになる。
【００１２】
２ストローク内燃エンジンは、高出力密度を特徴としており、高出力密度を実現するのに必要な燃料について汎用性が高く、したがって低回転速度範囲及び低負荷において必要とする燃料が少なく、一方高負荷の高回転速度範囲においては必要とする燃料が多い。
【先行技術文献】
【特許文献】
【００１３】
【特許文献１】米国特許第７  １６８  ４０１号明細書
【特許文献２】独国特許発明第１０  ２００４  ００２  １６１号明細書
【特許文献３】独国特許発明第１０２  ２９  ３６５号明細書
【特許文献４】欧州特許第０  ３０２  ０４５号明細書
【特許文献５】独国特許出願公開第１０  ２００８  ０１９  １５７号明細書
【特許文献６】米国特許第７  ０８９  ８９２号明細書
【特許文献７】独国特許発明第１０２  ２０  ５５５号明細書
【特許文献８】米国特許第６  ６９１  ６４９号明細書
【特許文献９】国際公開第２００６／００７６１４号
【発明の概要】
【発明が解決しようとする課題】
【００１４】
既知の２ストローク内燃エンジンにおいて、燃料の要求が多い場合は燃焼室内、またはオーバーフロー窓を介して燃焼室に直接接続されている掃気ポートの領域内、のいずれかに燃料を直接噴射することによって、この問題の領域をせいぜい周辺において解決する努力が行われてきた。最初に説明した場合には、燃料は直接燃焼室内に導入され、２番目に説明した場合には、燃料はオーバーフロー窓を介して概ね直接燃焼室内に導入され、燃料―空気密度が高くなる領域となり、それは、一方では実際混合気の燃焼性に応じているが、他方では、ＨＣがエンジンの排気気体内で高密度となる危険性を増す。
【００１５】
また、オーバーフロー窓が非常に短時間だけ開くことが原因で燃料が高い噴射圧力で燃料室内に導入された場合、燃焼室内のオーバーフロー窓の反対側のシリンダ壁上に噴射された燃料が壁付着する危険性があり、それは、一方では、２ストロークエンジンの動作に必要な２ストロークオイルを洗い流す危険性を増加させ、したがってピストン詰りの危険性を増加させ、他方では、燃焼室壁上の燃料の壁付着のせいで排気気体内のＨＣをさらに増加させる。これらの危険性は、燃料を燃焼室内へ直接噴射しても依然として存在する。
【００１６】
このことから、本発明の目的は、前述の問題をなくし、単純な構造を特徴とし、２ストロークに典型的な掃気損失を回避し、負荷範囲及び回転速度範囲の全般にわたる高パワーの発生を達成するのに必要な燃料の供給を受けることができる２ストロークエンジンを作ることである。
【課題を解決するための手段】
【００１７】
この目的を解決するために、本発明は、請求項１に記載した特徴を有しており；これの有利な実施形態をさらなる請求項に記載している。本発明は、請求項１４に記載の２ストローク内燃エンジンを操作する方法及び本発明の２ストローク内燃エンジンを有するモータサイクルを提供する。
【００１８】
本発明は、２ストローク内燃エンジンであって、燃焼室と排出口とを備えている少なくとも１個のシリンダと、クランクシャフトを備えており、少なくとも１個の掃気ポートを介して燃焼室と流路として接続されているクランクハウジングと、を有し、内燃エンジンは、クランクハウジングから燃焼室内へのオーバーフロー方向に対して概ね反対に燃料を掃気ポートに噴射するように構成または適合されており、内燃エンジンは、２個の噴射器を備えている少なくとも１個のシリンダを有し、第１のエンジン負荷でただ１個の噴射器によって、第２のエンジン負荷で２個の噴射器によって燃料が導入可能である２ストローク内燃エンジン提供する。したがって、燃料は第１のエンジン負荷でただ１個の噴射器によって、第２のエンジン負荷で２個の噴射器によって導入され得る。
【００１９】
したがって、２ストローク内燃エンジンによって、燃料は、噴射器または２個の噴射器を介して燃焼室に直接には噴射されないので、燃焼室壁から潤滑油を洗い落とすという問題が回避され、燃焼室壁上への燃料の壁付着が発生することもない。
【００２０】
燃料を、クランクハウジングから燃焼室内へのオーバーフロー方向に対して概ね反対に、一個の噴射器によって掃気ポート、またはトランスファー、オーバーフロワー、あるいはトランスファーダクトに噴射することによって、または２個の噴射器によって別個の掃気ポートまたはただ１個の共通の掃気ポートに噴射することによって、トランスファーまたはオーバーフロワー内の非常に高い乱流によって非常に良好な燃料処理が達成され、それによって、排気気体中での未燃焼の炭化水素（ＨＣ排出）の形成に対処することができる。
【００２１】
燃料をただ１つの噴射器によってトランスファーまたはオーバーフロワー内に導入することによって、中立負荷または低負荷領域の場合の、つまり２ストロークエンジンの燃料の要求が低い場合の本発明の２ストロークエンジンの低燃料要求に対応する。この動作範囲は、第１のエンジン負荷での本発明の２ストロークエンジンの動作に対応している。
【００２２】
それに対して、比較的高い負荷要求のために、たとえば本発明の２ストロークエンジンを使用して動作するモータサイクルの使用者による負荷要求のために、本発明の２ストロークエンジンの燃料要求が増加する場合、本発明の２ストロークエンジンの動作は、シリンダあたり２個の噴射器による燃料噴射に移行し、この動作領域は、燃料がただ１個の噴射器によってトランスファーまたはオーバーフロワー内に導入される第１のエンジン負荷よりも高い第２のエンジン負荷での本発明の２ストロークエンジンの動作に対応している。
【００２３】
２ストローク特有の高い汎用性が、本発明によって、エンジン負荷に依存して燃料をオーバーフロワー内へ導入できるようにすることによって対応される。ここで、エンジン負荷は、目的のエンジン負荷、つまり本発明のエンジンの使用者によって望まれるようにエンジンによって提供されるエンジン負荷、つまりエンジンのシリンダの行程容積に関連してエンジンが担う仕事とすることができる。
【００２４】
エンジンの使用者は、エンジンの空気吸入領域のスロットル開口断面によってエンジンが送達するエンジン負荷に影響を与える。スロットル開口断面は、エンジンの空気吸入領域のスロットル機関の開口によって決定され、最も単純な場合、スロットル機関は、その変位によってスロットル機関の開口断面が変化する空気スライドとすることが可能で；スロットル弁を中心としたピボット運動がスロットル機関の開口断面の変化につながるスロットル弁とすることもできる。
【００２５】
したがって、第１のスロットル開口断面は、第１のエンジン負荷に対応できるのに対して、第２のスロットル開口断面は、第２のエンジン負荷に対応できる。スロットル開口断面は、クランクハウジングのクランク室内で達成されるクランクハウジング圧力の変化につながる。本発明の燃焼エンジンの動作モードの切換は、クランクハウジング圧力の決定を介してシリンダ当たり１個の噴射器を使用して、または２個の噴射器を使用して行うことができる。第１のスロットル開口断面、したがって第１のエンジン負荷に対応している第１のクランクハウジング圧力は、燃料を本発明のエンジンにオーバーフロワーつまりトランスファーに噴射することによってのみ燃料が供給されることにつながるのに対して、第２のスロットル開口断面、したがって第２のエンジン負荷に対応している第２のクランクハウジング圧力は、燃料を本発明のエンジンに、２個の噴射器から２個のオーバーフロワーつまりトランスファーに、または２個の噴射器用の１個の共通のオーバーフロワーつまりトランスファーに燃料が供給されることにつながる。
【００２６】
本発明の内燃エンジンの動作モードを、ただ１個の噴射器を使用した燃料供給から２個の噴射器を使用した燃料供給に切り替えることによって、また、２個の噴射器を使用した燃料供給からただ１個の噴射器を使用した燃料供給に切り替えることによって、エンジンの負荷に依存して本発明の燃焼エンジンの特定の燃料要求に対応することができる。
【００２７】
本発明のさらなる発展形態によれば、内燃エンジンが、２個の噴射器の１個によって交互に燃料を噴射するように構成されている。言い換えると、これは、２ストローク内燃エンジンにそれぞれの動作点で必要な量の燃料を供給するために燃料の量が、ただ１個の噴射器を使用して供給されるときには、燃料は、例えばクランクシャフトの回転の途中に噴射器によって供給され、クランクシャフトの次の回転の途中に他方の噴射器によって供給され；したがって、クランクシャフト回転あたりの燃料供給のために噴射器は交互に使用されることを意味している。燃料が１個の噴射器によって、例えばクランクシャフトの所定の数の回転の間に供給され、燃料が他方の噴射器によって、クランクシャフトの以降のある数の回転の間に供給されるようにすることも可能である。
【００２８】
このアプローチは、最適化されている燃料の量が低エンジン負荷で達成され、別段対策を講じない場合に起こる、比較的長い期間燃料が流れない噴射器の汚損を防止できるという利点がある。そのような汚染は、例えば、ブローバイ効果によるクランクハウジング内の排気煙の結果、または２ストローク内燃エンジンの動作に必要な潤滑油がクランクハウジングに進入する結果である。そのような汚染は、ただ１個の噴射器によって燃料が供給される場合でも、２個の噴射器を交互に使用することによって回避することができる。考え得る樹脂の形成つまり噴射器の固着も、燃料内に存在する添加物または成分によって、このようにして防止することが可能で、別段対策を講じない場合に起こる２個の噴射器の機械的負荷の不均等な分配を回避することができる。
【００２９】
本発明のさらなる発展形態によれば、内燃エンジンは、クランクシャフトの回転の部分領域、つまり全回転の一部分に対応しているクランクシャフト角度の間に燃料を噴射するように構成されており、部分領域つまり一部分は、クランクシャフト角度の約５度からクランクシャフト角度の約３５０度、好ましくはクランクシャフト角度の約１０度からクランクシャフト角度の約３００度、好ましくはクランクシャフト角度の約１２度からクランクシャフト角度の約３０５度であることも実現される。
【００３０】
言い換えると、これは、本発明の内燃エンジンは、クランク角度の３６０度のクランクシャフトの全回転の部分領域つまり一部分に対応しているクランクシャフト角度の間に燃料が噴射されるように構成されており、この部分領域つまり一部分は、クランク角度のわずか約５度の非常に短い時間の窓からクランク角度の３５０度の非常に長い時間の窓に達することを意味している。したがって、燃料が、実質的にクランクシャフトの全回転の非常に短い噴射時間間隔の間だけに、またはクランクシャフトの全回転に実質的に対応している時間間隔にも噴射され、したがって、完全なクランクシャフトの回転のほぼ全体の時間期間の間に燃料が噴射され、それによって燃料をクランクハウジングのクランク室内に備蓄することもできる。
【００３１】
本発明または本発明のさらなる発展形態によれば、噴射間隔がクランク角度の約１０度からクランク角度の約３３０度に達することも実現され、噴射間隔がクランク角度の約１２度からクランク角度の約３０５度までで、行程容積が２５０立方センチメートルの２ストローク内燃エンジンを使用して非常に良好な結果が得られることも示された。
【００３２】
本発明のさらなる発展形態によれば、２ストローク内燃エンジンが、燃焼機械の最大負荷の約７パーセントから約４０パーセントの燃焼エンジンのエンジン負荷の領域ではただ１個の噴射器によって燃料を噴射するのに使用されることも実現され、値はエンジン速度に依存して変化する。本発明のエンジンの使用者は、例えば、実際にはそれぞれのエンジン速度に依存して、最大負荷の約４０パーセントよりも高い負荷要求では、燃料は両方の噴射器によって噴射されるのに対して、最大負荷の約４０パーセント未満の負荷要求では、燃料はただ１個の噴射器によって噴射されるように、エンジンの空気吸入領域に配置されているスロットル機関のスロットル開口断面を変更することによってエンジンで設定されている負荷要求に影響することが可能である。その後、前述のように、それぞれ２個の噴射器の１個による交互の動作において燃料を噴射することができる。したがって、１個の噴射器を使用した動作から２個の噴射器を使用した動作への切り替えとその反対の切り替えは、負荷の約７パーセントから約４０パーセントの領域で行われる。
【００３３】
エンジン速度の依存性は、ただ１個の噴射器を使用した本発明の２ストローク内燃エンジンの動作からシリンダあたり２個の噴射器を使用した動作への切り換え時間及び２個の噴射器を使用した動作からただ１個の噴射器を使用した動作への切り替えを意味しており、それは、それからエンジン速度に依存して交互に行うことができる。
【００３４】
エンジン速度が低いと、１個の噴射器でエンジンの最大負荷の約４０パーセントの負荷に対応することができるのに対して、エンジン速度が高いと、最大負荷の約７パーセントのエンジン負荷から２個の噴射器を使用した動作に切り替えられており、最大負荷の７パーセント未満の負荷要求の場合、エンジンをただ１個の噴射器を使用してさらに動作させることができる。
【００３５】
本発明のさらなる発展形態によれば、内燃エンジンは燃料を噴射するように本発明によって構成されているのに対して、燃焼エンジンの速度が増加するとクランクシャフトの全回転に対応しているクランクシャフト角度の一部分の領域が増加することも実現される。
【００３６】
言い換えると、これは次のことを意味する。すなわち、本発明の燃焼エンジンの速度が増加するのに従って、燃料が１個の噴射器または２個の噴射器によって掃気ポートの中でまたは中へ噴射される時間間隔、つまり３６０度のクランクシャフトの全回転の部分領域つまり一部分の間隔が長くなり、燃料が１個の噴射器または２個の噴射器を使用して噴射され、それによって燃料は、エンジン速度に依存して、燃焼エンジンを動作させるためにクランクハウジング内にも備蓄される；燃料はまた、掃気ポートからシリンダの燃焼室へのオーバーフロー窓が、ピストンが下死点ＵＴから上死点ＯＴまでシリンダ内を移動している間ピストンによって密封されているときに、掃気ポート内にも噴射される。
【００３７】
本発明のさらなる発展形態によれば、内燃エンジンが、制御装置に機能的に結合している、つまり制御装置を備えており、制御装置は内燃エンジンの負荷要求を確定し、燃料の噴射が決定された負荷要求に依存して１個の噴射器または２個の噴射器によって行われるように構成されていることも実現される。したがって、使用者による目的のエンジン負荷つまり目標のエンジン負荷を、制御装置を介して、たとえば、キャブレターまたはスロットルフラップとすることができる流れの技術的な様態で吸入空気を供給するように予め切り換えられているスロットル機関のスロットル開度断面の検出を介して設定し、それから確定されたエンジン負荷に依存して、燃料を掃気ポートまたはオーバーフローチャネルに供給するように１個の噴射器または２個の噴射器のいずれかを制御装置によって作動させることができる。
【００３８】
本発明のさらなる発展形態によれば、決定された負荷要求及び／または内燃エンジンの回転速度に依存して、内燃エンジンが、１個の噴射器または２個の噴射器によって、燃料の噴射を開始する及び／または１個の噴射器または２個の噴射器を開くように作動させる時間期間を変更するように構成されることも実現される。
【００３９】
したがって、内燃エンジンは、燃料の１個の掃気ポートまたは複数の掃気ポート内への噴射の開始が内燃エンジンのエンジン負荷または確定された負荷要求及び／または現在のエンジン速度に依存して変更されるように噴射器を作動させることができる。したがって、このように確定されている本発明の内燃エンジンの動作パラメータに基づいて、クランク角度の３６０度の利用可能な間隔内で、燃料が１個の掃気ポートまたは複数の掃気ポート内へ噴射される噴射時間間隔を内燃エンジンはシフト及び／または短縮及び／または延長することができる。
【００４０】
ここで、噴射間隔の早い方向へのシフトは、ピストンの下死点ＵＴの方向へ向かう途中のピストンの上死点ＯＴの後の領域において噴射間隔が上向きにシフトされることを意味するのに対して、噴射間隔の遅い方向へのシフトは、ピストンの下死点ＵＴの方向、つまり下死点ＵＴに向かう方向へ向かう途中のピストンの上死点ＯＴの後の領域において噴射間隔が下向きにシフトされることを意味している。
【００４１】
本発明のさらなる発展形態によれば、シリンダに第１及び第２の掃気ポートが設けられ、第２の掃気ポートは第１の掃気ポートよりも排出口に対してより離れて配置されており、噴射器は第２の掃気ポート内に燃料を噴射するように配置されることも実現される。
【００４２】
このように、第１の掃気ポートとシリンダの排出口との間の短絡流の発生が減少するか回避されるので、掃気損失が最小化されることが達成される。燃料が排出口により近い掃気ポート内に噴射されると、そのような短絡流の危険性が増加する。これは、本発明の内燃エンジンの排気煙の中のＨＣ排出の減少に貢献する。
【００４３】
本発明のさらなる発展形態によれば、内燃エンジンはシリンダの長手方向の中心軸線によって形成されるシリンダ垂直軸線を有し、各噴射器は噴射器の長手方向の中心軸線によって形成される噴射器垂直軸線を有し、噴射器はシリンダ垂直軸線と噴射器垂直軸線の角度が約ゼロ度から約３５度の間で、好ましくは約１４度で傾斜して配置されることも達成される。
【００４４】
このように、掃気ポートのチャネル壁への燃料の壁付着の危険性が減少し、それが本発明の内燃エンジンの排気煙内の未燃焼炭化水素の減少に貢献することが達成される。
【００４５】
本発明のさらなる発展形態によれば、内燃エンジンはシリンダ垂直軸線を含む長手方向中心平面−想像上のまたは実質的な中心平面−を有し、長手方向中心平面に直角な横断方向中心平面−想像上のまたは実質的な中心平面−を有し、長手方向中心平面と噴射器垂直軸線との間の角度が約マイナス８度から約プラス３３度で傾斜して噴射器が配置されることも達成される。ここで、噴射器は、排出口から離れる方向に横断方向中心平面に対して後ろ向きに約１５度オフセットして配置することができる。
【００４６】
この構成は、ジェット円錐つまり噴射円錐の形態で１個の掃気ポートまたは複数の掃気ポート内に噴射器によって導入される燃料が、１個の掃気ポートまたは複数の掃気ポートの壁にわずかに接触するだけか、接触せずに、そのような考え得る接触の前に、１個の掃気ポートまたは複数の掃気ポートにクランク室から燃焼室の向きに流入する流体の流れによって溶かされ、とらえられるという利点も有している。この構成は、今度は、本発明の内燃エンジンの排気煙内の未燃焼の炭化水素形成の減少に貢献する。
【００４７】
本発明のさらなる発展形態によれば、噴射器によって掃気ポート内に噴射された燃料が掃気ポート壁への付着するのを広範囲にわたって掃気ポート回避するような様式で、噴射器がそれぞれの掃気ポートに対して非常に一般的に配置されることも達成される。この構成には、今度は、掃気ポートからの燃料の粒子が燃焼室内で液滴の形態に形成されることが減少するか回避され、それによって排気煙内のＨＣ排出をまた減少させることができるという利点がある。したがって、本発明の２ストローク内燃エンジンの燃料消費率が減少する。
【００４８】
最後に、本発明のさらなる発展形態によれば、噴射器が少なくとも１個の円錐燃料ジェットを生成し、掃気ポート壁への燃料ジェットの壁付着を回避するように噴射器は掃気ポートに対して揃えられていることも達成される。
【００４９】
本発明は、２ストローク内燃エンジンを動作させる方法をも提供し、内燃エンジンは燃焼室と排出口とを備えた少なくとも１個のシリンダと、クランクシャフトを備えたクランクハウジングを有し、クランクハウジングは少なくとも１個の掃気ポートを介して燃焼室と流路として接続されており、燃料はクランクハウジングから燃焼室内へのオーバーフロー方向に対して概ね反対方向に流れチャネルに噴射され、そこでは、本発明の方法によれば燃料は、第１のエンジン負荷ではただ１個の噴射器によって、第２のエンジン負荷では２個の噴射器によって噴射される。
【００５０】
ここで、エンジン負荷、つまり内燃エンジン負荷、または、本発明の内燃エンジンにわたる流れの技術的態様においてあらかじめ切り替えられている本発明の内燃エンジンのスロットル機関のスロットル開口断面の設定によって設定された負荷要求にも依存して、燃料がただ１個の噴射器によって掃気ポート内に噴射されるように、または、燃料が２個の噴射器によって掃気ポート内に噴射されるように、第１のエンジン負荷は、第２のエンジン負荷よりも低い。
【００５１】
したがって、ただ１個の噴射器または２個の噴射器を備えている本発明の内燃エンジンの動作を、エンジン負荷または確定された負荷要求に依存して、また現在のエンジン負荷やエンジンが必要とする負荷によって、前者または後者に切り替えることができる。
【００５２】
以下の図面によって本発明をより詳細に説明する。
【図面の簡単な説明】
【００５３】
【図１】図２の線Ｉ−Ｉに沿った断面で示している本発明の実施形態による単シリンダ、２ストローク内燃エンジンの断面図である。
【図２】図１の実施形態の上面図である。
【図３】図１と同様に噴射器の噴射のイメージつまりジェットのイメージを説明する図１と同様の図である。
【図４】シリンダヘッドのない図２と同様の図示である。
【図５】図１の線Ｖ−Ｖに沿った断面図である。
【図６】図５の線ＶＩ−ＶＩに沿った断面図である。
【図７】２個の断面Ａ−Ａ及びＢ−Ｂの位置を説明する図１の２ストローク内燃エンジンのシリンダ上面図である。
【図７Ａ】図７の線Ａ−Ａに沿った断面を示している。
【図７Ｂ】図７の線Ｂ−Ｂに沿った断面を示している。
【図８】模式的に示しているスロットルフラップ体の断面図である。
【図９】本発明の内燃エンジンを有しているモータサイクルの模式図である。
【発明を実施するための形態】
【００５４】
図面の図１は、本発明の実施形態の２ストローク内燃エンジン１を通る図２の線Ｉ−Ｉに沿った断面を示している。
【００５５】
２ストローク内燃エンジン、つまりエンジン１は、クランクシャフト６にクランクハウジング７内に回転可能に受け入れられている連接棒５を介して連結されているピストン４の上方のシリンダ３内に形成されている燃焼室２を有している。シリンダ３には、排気煙を処理可能な図２で確認できる排出口８が設けられている。例えばクラッチ、オルタネータ、エンジンハウジングカバー等のエンジン１のさらなる詳細は、図面を簡単にするために図示されていないが、動作的に取り付け準備ができているエンジン１内にもちろん存在している。
【００５６】
図面の図５からわかるように、たとえば、シリンダ３は２個の第１の掃気ポート９及び２個の第２の掃気ポート１０を有しており、第１の掃気ポート９は、第２の掃気ポート１０よりも排出口８の方向に近くなるように配置されている。
【００５７】
掃気ポート９、１０は、ピストン４のクランク室つまりクランクハウジング７の方向への下向きの移動が発生した時に、圧縮されている空気または圧縮されている燃料−空気混合物がクランクハウジング７から燃焼室２の方向に流れ、燃焼室２内に掃気ポート９、１０からオーバーフロー窓１１を通して進入できるように、クランクハウジング７内に形成されているクランク室に流路として接続されている。
【００５８】
ピストン４の下死点ＵＴの方向への下向きの移動が発生した時には、図面の図３に矢印１２で示している流体の流れが生じる。ここで、図面の図１において図示平面上の右側の掃気ポート１０だけを自由に切断して示しているのに対して、図示平面上の左側の掃気ポート１０は、切断の経路のせいで、切断されずに示していることに注意することが重要である。図３は、２個の掃気ポート１０を示している。
【００５９】
図面の図２からわかるように、エンジン１は、第１の噴射器１３及び第２の噴射器１４を有しており、第１の噴射器１３は、図２で見たときに矢印１５の方向で右側の第２の掃気ポート内１０内に開いており、第２の噴射器１４は、左側の第２の掃気ポート１０内に開いている。
【００６０】
したがって、シリンダ３は、各々が燃料をそれぞれの掃気ポート１０内に、実際に、クランクハウジング７から掃気ポート１０を介して燃焼室２の方向への流体の流れの方向とは逆に噴射するように形成されている２個の噴射器１３、１４を有している。ここで、燃料は、たとえば、より詳細には示していない燃料ポンプによる約３．５ｂａｒ（３５００００Ｐａｓｃａｌ、５０，７６３２ＰＳＩ）の系の圧力の下に置かれている。
【００６１】
内燃エンジン１は、異なる負荷領域で動作可能で、負荷領域は、アイドル領域の低負荷から平均負荷を通して全負荷まで広がっている。
【００６２】
図面の図２は、エンジンが吸気領域に吸入サポート１６を有していることを示しており、そこにはピボット運動可能なスロットル弁１８を有する模式的に示されたスロットル弁本体１７が配置され、スロットル弁１８はスロットル弁本体１７を通して貫流断面を変更するためのピボット運動が可能であり、そのピボット運動により本発明の２ストローク内燃エンジン１の使用者は２ストローク内燃エンジン１の負荷要求を示すことができる。
【００６３】
ここで、スロットル弁１８はスロットル弁本体１７のハウジング１９内にピボット運動可能に受け入れられ、使用者は、スロットル弁１８の図８矢印２０方向のピボット運動を介して、スロットル弁１８によって貫流断面を解放し、貫流断面を変更できるようになっている。スロットル弁本体１７は、より詳細に説明していないアイドルシステムを有しているため、図８に模式的に示した回転角度センサ３４によって確定されるスロットル弁角度が、０度の場合はアイドル設定に対応することができ、一方７２度の場合は参照番号１８’で図８に示している全負荷設定に対応している。
【００６４】
本発明の内燃エンジン１は、第２のエンジン負荷よりも低い第１のエンジン負荷の場合には、燃料はただ１個の噴射器１３、１４によって掃気ポート１０内に噴射され、一方第２のエンジン負荷の場合には、燃料は２個の噴射器１３、１４によって掃気ポート１０内に噴射されることを特徴としている。
【００６５】
言い換えると、これは、２ストローク内燃エンジン１が動作しているエンジン負荷に依存して燃料がただ１個の噴射器１３または１４によって掃気ポート１０内に導入されるか、２個の噴射器１３、１４によって導入されることを意味しており、エンジン負荷または負荷要求に依存して「ただ１個の噴射器」と「２個の噴射器」との動作モードの間で切り替えられる。
【００６６】
エンジンが低負荷の動作モードにある場合、燃料はただ１個の噴射器１３または１４を使用して掃気ポート１０内に噴射され、エンジン負荷が増加し、速度に依存するしきい値に達すると、そこから負荷は２個の噴射器１３、１４を使用した燃料噴射の動作モードへ切り替えられる。エンジンによって示されるエンジン負荷が再び減少すると、２個の噴射器を使用した燃料噴射の動作モードからただ１個の噴射器を使用した燃料噴射の動作モードへ再び切り替えることができる。
【００６７】
ここで、エンジン負荷は、クランクハウジング７にいきわたっているクランクハウジング圧力の決定によって行うことが可能で、先述の圧力はエンジン１の使用者がスロットル弁角度の変更によって設定するエンジンの負荷要求に依存しており、ただ１個の噴射器を使用した燃料供給と２個の噴射器を使用した燃料供給との間の切り換えは、クランクハウジング圧力に依存して行われる。
【００６８】
ただ１個の噴射器１３、１４がエンジン１の燃料供給に必要な場合、クランクシャフト角度３６０度のサイクルの間に燃料がたとえば噴射器１３によって噴射され、一方で続くクランクシャフト角度３６０度のサイクルの間には燃料が他方の噴射器１４によって噴射されるように、燃料供給は、各場合に噴射器１３、１４の一方によって交互に行われる。
【００６９】
このプロセスは、噴射器１３、１４上での樹脂の形成つまりコーキングを防止できるという利点を有しており、さらに、噴射器１３、１４の切り換えサイクルは各々が約５０パーセントで均等に分配される。
【００７０】
図面の図３からわかるように、ちょうど噴射器１４のように、噴射器１３は、スプレーのイメージとしてスプレー円錐２１を形成し、噴射器は、掃気ポート１０内でオーバーフロー窓１１の方向に流れる流体のスプレー円錐２１が反対方向に揃って延びるように配置されており、したがって、スプレー円錐２１によって排出される燃料の掃気ポート１０の壁２２上への壁付着の危険性が減少する。燃料の準備も、掃気ポート１０内で広がる高い乱流によって良好に達成され、排気煙内のＨＣ排出も減少する。
【００７１】
図面の図５は、掃気ポート１０の壁２２から離れている掃気ポート１０内のスプレー円錐２１をその描画において示している。ここで、燃料噴射は、排出口８により近い掃気ポート９内へではなく、排出口８から離れている掃気ポート１０内へ行われ、排出口8はまたクランクハウジング７のクランク室に流体的に接続されている。燃料の排出口から離れている掃気ポート１０内への噴射の結果、排出口８から離れる方向への燃料の短絡流の形成が減少し、それによって、本発明の２ストローク内燃エンジン１の掃気損失が減少する。エンジンの燃料消費率も減少させることが可能で、ＨＣ排出を減少させることが可能であり、そうでなければ、排出口に近い燃料の噴射が設定され、その結果、排出口８の領域のシリンダ壁の壁面に液滴が付着する。
【００７２】
図４は、上から見たシリンダ３上の噴射器１３、１４の配置を示している。容易にわかるように、噴射器１３、１４は、両方が図１で確認できるシリンダ垂直軸線２３及び図２で確認できる横断方向中心平面２４に対して傾斜して配置されている。
【００７３】
図面の図１に示しているエンジン１の実施形態において、噴射器１３、１４は、シリンダ垂直軸線２３に対してその噴射器垂直軸線２５が１４度の角度で傾斜している。図示のエンジン１では、この構成は、掃気ポート１０の壁２２の壁面への液滴の付着を避け、図面の図２からわかるように、横断方向の中心平面２４に対して１５度の噴射器垂直軸線２５の配置に実際に関連しているスプレー円錐２１の形成につながる。
【００７４】
図面の図６からわかるように、シリンダ３上に配置されている噴射器１３または１４は、２個のスプレー円錐２１の形態のスプレーイメージも形成することができ、掃気ポート１０の壁２２の壁面への液滴の付着が防止される。
【００７５】
図面の図７は、シリンダ垂直軸線２３及び噴射器垂直軸線２５の間に形成されている、図７Ａに示される傾斜の角度と、噴射器垂直軸線２５が図７の長手方向中心平面２６に対して成す、図７Ｂに示される角度とを示すように、２個の断面Ａ−Ａ及びＢ−Ｂを示している。
【００７６】
図７Ａに示しているように、噴射器１３、１４は、その噴射器垂直軸線２５がシリンダ垂直軸線２３に対して０度から約３５度の広範な角度で傾斜するように配置され得て、ここでスプレー円錐２１は掃気ポート１０の壁２２と交わらない。
【００７７】
図面の図７Ｂは、シリンダ垂直軸線２３を含む長手方向中心平面２６に対する噴射器１３、１４の考え得る配置を示しており、中心平面は図７で確認できる。容易にわかるように、噴射器は、図７Ｂの左側の噴射器を貫通する０度の仮想の長手方向中心平面から始めて、長手方向中心平面２６に対してマイナス８度の角度に配置することが可能で、噴射器は、この角度から、３３度の角度領域をカバーし、そうしなければ噴射された燃料が掃気ポート１０の壁２２上に壁付着する。これは、図面に示した２個のスプレー円錐を備えたスプレーイメージを有する噴射器、及び図７Ａの図示と同様のただ１個のスプレー円錐を備えているスプレーイメージを有する噴射器の両方に該当する。
【００７８】
本発明の２ストローク内燃エンジン１はさらに、燃料を、エンジンの負荷状態及びエンジンの回転速度に実際に依存して、クランクシャフト６のクランクシャフト角度の３６０度に該当している全回転の部分領域の間に単一の噴射器または２個の噴射器を介して噴射することができることを特徴としている。
【００７９】
したがって、本発明は、２ストローク内燃エンジンの特異性、すなわち２５０立方センチメートルの行程容積を有する図示のエンジンにおいて、アイドル領域、つまり、０度のスロットル弁開度で、毎分１０００回転から毎分１１０００回転までの全速度領域にわたってエンジンがほとんど燃料を必要としないことに特徴づけられる特異性、を考慮している。この全速度領域は、ただ１個の噴射器１３、１４による燃料の供給によって対応することが可能であって、実際に、速度の増加に伴って最短の噴射器の開放時間を下回った場合でも対応できる。ここでは２５０立方センチメートルの行程の２ストローク内燃エンジンについて説明したが、２ストローク内燃エンジンは、１２５、１５０、また３００立方センチメートルの行程さえも有し得る。
【００８０】
結局、本発明のエンジンは、噴射器１３、１４の有利な配置、及び噴射器が噴射器固有の最短噴射器開口時間よりも短い時間で実際に動作しているときの量にしたがって設定される量に計量された燃料のおかげで、アイドル領域において動作するということになる。
【００８１】
エンジン負荷が増加し、それに伴ってスロットル弁角度が増加すると、エンジンの燃料要求が増加する。同様に、エンジン速度が増加しても燃料要求が増加する。本発明のエンジンはここでは、最大負荷の約７パーセントから約４０パーセントの負荷領域におけるエンジンの速度に依存して燃料供給が１個の噴射器から２個の噴射器に切り替えられるような様式で構成されている。
【００８２】
したがって、高エンジン速度では、１個の噴射器による燃料供給から２個の噴射器による燃料供給への切り替えは、例えばエンジンの最大負荷の７パーセントの低負荷においてすでに実行されるのに対して、低エンジン速度では、切り換えは最大負荷の４０パーセントで初めて実行される。低エンジン速度において、エンジンが高めの負荷からきて最大負荷の４０パーセントの値には達さない場合、低エンジン速度での２個の噴射器からただ１個の噴射器への燃料供給の切り替えは、最大負荷の約７パーセントの負荷で行われる。
【００８３】
３６０度のクランクシャフト角度に基づいている前述の燃料の供給の部分領域をクランク角度の約５度からクランク角度の約３５０度に広げることが可能で、図面に示しているエンジン１における部分領域は、クランクシャフト角度の約１２度からクランクシャフト角度の３０５度の値を仮定しており、これにより０度のスロットル弁角度においてはただ１個の噴射器による燃料の供給はクランクシャフト角度の約１２度に対して十分となり、一方たとえばエンジンの全負荷設定に対応している７２度のスロットル弁角度においては２個の噴射器による燃料供給の部分領域は２個の噴射器を使用することによってクランクシャフト角度の約３０５度まで拡張可能となる；したがって、燃料は可能な最大クランク角度の非常に大きい部分領域の間に供給される。つまり、たとえば２．５グラム毎秒の比較的低い秒あたりの燃料の比質量効率の噴射器、つまりは単位時間当たりの燃料供給量の少ない噴射器によって対応可能である。
【００８４】
この構成によって、燃料が、オーバーフロー窓の開いている期間の間だけでなく、オーバーフロー窓がピストンによって密封されている際にも掃気ポートを介して供給されることによりクランクハウジング内の燃料に十分なゆとりができる結果として、高い負荷及び高い速度でもエンジンの動作を保証することができる。これによって、高負荷での高い燃料消費率を可能にし、前述したように噴射器の秒あたりの比質量性能は低いにもかかわらず、高速に対応することが可能となる。噴射器の秒あたりの比質量性能が低いのは、エンジンの比燃料要求が低部分負荷領域及びアイドル領域では低いことに対応するためであった。そして、高負荷及び高速において、十分な量の燃料が燃焼室で即座に利用可能で、それによって、クランクハウジング内に備蓄されている燃料が存在している結果、高負荷でのシリンダ及びピストンの良好な内部冷却も達成される。
【００８５】
最後に、図面の図９は、本発明の２ストローク内燃エンジン１を備えているモータサイクル２７の模式的な描写である。モータサイクル２７は、前輪２８ならびに後輪２９及びサドル３０の形態のモータサイクルの使用者用の座席表面を有している。サドル３０またはベンチ３０上に座っている使用者は、ハンドルバー３１を介してモータサイクルを制御することが可能で、またここでは、ケーブル制御を用いて、またはドライブバイワイヤを用いて、ガソリンひねりハンドル３２を介して、スロットル弁本体１７内に配置されているスロットル弁１９の回転角度設定に影響を与えることによりエンジン１のエンジン負荷を制御することができる。
【００８６】
使用者が、ガソリンひねりハンドル３２を、非作動端部位置に放置すると、概ね０度のスロットル弁角度が設定され、エンジンは、スロットル弁本体１７のアイドルシステムを介して操作される。制御装置３３は、内燃エンジン１によって機能的に操作され、図示のモータサイクル２７のベンチ３０の下方に配置されており、噴射器１３、１４を制御してこれらがアイドルモードにおいてエンジン１の運転に必要な燃料を掃気ポート１０内に交互の態様で噴射することによって供給するようにする。
【００８７】
エンジンに対する負荷要求は、モータサイクル２７の使用者がガソリンひねりハンドル３２を作動させることで変更され、エンジン１は変更されたエンジン負荷を受ける。スロットル弁角度の変更は、クランクハウジング７内で計測されるクランクハウジング圧力の変更につながる。
【００８８】
制御装置３３は、スロットル弁角度に対して必要な燃料の量を計算し、これを、１個の噴射器１３、１４によって、または２個の噴射器１３、１４によって燃料を掃気ポート１０内に噴射することによって行い、実際に、必要な燃料量が設定されるように、２個の噴射器のうちの１個によってそれぞれ交互に、または２個の噴射器によって同時に、のいずれかの形態によって行う。エンジン負荷は、回転角度センサ３４によって確立するスロットル弁角度に依存して変更され、エンジン負荷または負荷要求に対応している燃料の量が確認され、１個の噴射器１３、１４または２個の噴射器１３、１４の開口の持続期間が決定され、それが今度はクランクシャフト角度に対応し、それが、クランクシャフトの全回転に対応しているクランクシャフト角度の部分領域に対応する。
【００８９】
以上でより詳細には説明されていない本発明の特徴に関しては、特許請求の範囲及び図面を明示的に参照する。
【符号の説明】
【００９０】
１  ２ストローク内燃エンジン
２  燃焼室
３  シリンダ
４  ピストン
５  連接棒
６  クランクシャフト
７  クランクハウジング
８  排出口
９  第１の掃気ポート
１０  第２の掃気ポート
１１  オーバーフロー窓
１２  矢印
１３  第１の噴射器
１４  第２の噴射器
１５  矢印
１６  吸入サポート
１７  スロットル弁本体
１８  スロットル弁
１９  ハウジング
２０  矢印
２１  スプレー円錐
２２  壁
２３  垂直軸線
２４  横断方向中心平面
２５  噴射器垂直軸線
２６  長手方向中心平面
２７  モータサイクル
２８  前輪
２９  後輪
３０  サドル、ベンチ
３１  ハンドルバー
３２  ガソリンひねりハンドル
３３  制御装置
３４  回転角度センサ
【図１】
2020506329.tif 000003
【図２】
2020506329.tif 000004
【図３】
2020506329.tif 000005
【図４】
2020506329.tif 000006
【図５】
2020506329.tif 000007
【図６】
2020506329.tif 000008
【図７】
2020506329.tif 000009
【図７Ａ】
2020506329.tif 000010
【図７Ｂ】
2020506329.tif 000011
【図８】
2020506329.tif 000012
【図９】
2020506329.tif 000013
【国際調査報告】
2020506329.tif 000014
2020506329.tif 000015
2020506329.tif 000016
2020506329.tif 000017